(57)【要約】  スプライシング装置は、テープ貼付装置によりスプライシングテープを貼り付けられた一対のキャリアテープをテープ搬送路から上方に持ち上げてスプライシングテープをベーステープから剥離させる持ち上げ部と、持ち上げ部が一対のキャリアテープを持ち上げる際に、ベーステープの上面のうちベーステープの幅方向においてスプライシングテープより両端側に位置する部位に接触することにより、一対のキャリアテープの持ち上げに伴うベーステープの上方移動を規制する規制部と、を備える。
2019146033.tif 000002
【特許請求の範囲】
【請求項１】
一対のキャリアテープをテープ搬送路に沿って互いに接近させる方向に搬送するキャリアテープ搬送装置と、
前記一対のキャリアテープの裏面に跨って貼り付けられるスプライシングテープを所定の間隔で配列されたベーステープを、前記一対のキャリアテープの搬送方向と交差する方向に搬送するベーステープ搬送装置と、
前記キャリアテープ搬送装置により前記テープ搬送路におけるスプライシング位置に位置決めされた前記一対のキャリアテープに前記スプライシングテープを貼り付けるテープ貼付装置と、
前記テープ貼付装置により前記スプライシングテープを貼り付けられた前記一対のキャリアテープを前記テープ搬送路から上方に持ち上げて前記スプライシングテープを前記ベーステープから剥離させる持ち上げ部と、
前記持ち上げ部が前記一対のキャリアテープを持ち上げる際に、前記ベーステープの上面のうち前記ベーステープの幅方向において前記スプライシングテープより両端側に位置する部位に接触することにより、前記一対のキャリアテープの持ち上げに伴う前記ベーステープの上方移動を規制する規制部と、
を備えるスプライシング装置。
【請求項２】
前記規制部は、前記ベーステープの搬送方向において前記スプライシングテープが配置された範囲で前記ベーステープの上面に接触する、請求項１に記載のスプライシング装置。
【請求項３】
前記ベーステープは、配置される前記スプライシングテープを保持する粘着領域と、前記ベーステープの幅方向において前記粘着領域より両端側であって粘着性を有しない非粘着領域と、を有し、
前記規制部は、前記ベーステープの上面のうち前記非粘着領域のみに接触する、請求項１または２に記載のスプライシング装置。
【請求項４】
前記スプライシング装置は、前記スプライシング位置に位置決めされた前記一対のキャリアテープの裏面に跨った前記スプライシングテープを間に挟んで押し付ける裏面押付部材および表面押付部材をさらに備え、
前記規制部は、前記裏面押付部材の可動範囲および前記表面押付部材の可動範囲の外部に配置される、請求項１−３の何れか一項に記載のスプライシング装置。
【請求項５】
前記ベーステープは、前記一対のキャリアテープの表面に跨って貼り付けられる表面用スプライシングテープと、前記一対のキャリアテープの裏面に跨って貼り付けられる前記スプライシングテープである裏面用スプライシングテープとを所定の間隔で配列され、
前記スプライシング装置は、前記ベーステープのうち前記表面用スプライシングテープが配置された部位に係合した前記表面押付部材を旋回させて、前記表面用スプライシングテープを前記一対のキャリアテープの表面に対向させる旋回装置をさらに備え、
前記規制部は、前記旋回装置の可動範囲の外部に配置される、請求項４に記載のスプライシング装置。
【請求項６】
前記ベーステープには、配列された前記スプライシングテープを覆うカバーテープが貼り付けられ、
前記スプライシング装置は、前記ベーステープの搬送方向において前記カバーテープを剥離する剥離位置を規定するガイド部材をさらに備え、
前記規制部は、前記ガイド部材に一体に設けられる、請求項１−５の何れか一項に記載のスプライシング装置。
【請求項７】
スプライシング装置は、
前記テープ搬送路を形成される装置本体と、
前記装置本体に対して開閉される上部カバーと、をさらに備え、
前記持ち上げ部は、前記上部カバーに設けられ、前記上部カバーの閉状態において前記テープ搬送路の下方に位置し、前記上部カバーが閉状態から開状態とされると前記上部カバーとともに上昇することにより、前記一対のキャリアテープを前記テープ搬送路から上方に持ち上げる、請求項１−６の何れか一項に記載のスプライシング装置。
【発明の詳細な説明】
【技術分野】
【０００１】
本発明は、スプライシング装置に関するものである。
【背景技術】
【０００２】
スプライシング装置は、多数の部品を収容するキャリアテープのスプライシングに用いられる。スプライシング装置は、例えば特許文献１に示すように、一対のキャリアテープの端部を突き合わせた状態でスプライシングテープを両面に貼り付けることにより、一対のキャリアテープをスプライシングする。スプライシングテープは、ベーステープに貼り付けられた状態で配置され、ベーステープの搬送によって供給される。
【先行技術文献】
【特許文献】
【０００３】
【特許文献１】国際公開第２０１７／０９８６３０号
【発明の概要】
【発明が解決しようとする課題】
【０００４】
スプライシング装置は、スプライシング後の取り出し処理において、スプライシングテープが一対のキャリアテープおよびベーステープに貼り付けられた状態で、一対のキャリアテープを持ち上げる。これにより、スプライシングテープは、一対のキャリアテープに貼り付けられた状態を維持してベーステープから剥離される。スプライシング装置には、取り出し処理においてスプライシングテープの剥離の不良が発生しないように良好なスプライシング処理の実行が求められる。【０００５】
本明細書は、スプライシング処理においてスライシングテープをベーステープから良好に剥離することができるスプライシング装置を提供することを目的とする。
【課題を解決するための手段】
【０００６】
本明細書は、一対のキャリアテープをテープ搬送路に沿って互いに接近させる方向に搬送するキャリアテープ搬送装置と、前記一対のキャリアテープの裏面に跨って貼り付けられるスプライシングテープを所定の間隔で配列されたベーステープを、前記一対のキャリアテープの搬送方向と交差する方向に搬送するベーステープ搬送装置と、前記キャリアテープ搬送装置により前記テープ搬送路におけるスプライシング位置に位置決めされた前記一対のキャリアテープに前記スプライシングテープを貼り付けるテープ貼付装置と、前記テープ貼付装置により前記スプライシングテープを貼り付けられた前記一対のキャリアテープを前記テープ搬送路から上方に持ち上げて前記スプライシングテープを前記ベーステープから剥離させる持ち上げ部と、前記持ち上げ部が前記一対のキャリアテープを持ち上げる際に、前記ベーステープの上面のうち前記ベーステープの幅方向において前記スプライシングテープより両端側に位置する部位に接触することにより、前記一対のキャリアテープの持ち上げに伴う前記ベーステープの上方移動を規制する規制部と、を備えるスプライシング装置を開示する。
【発明の効果】
【０００７】
このような構成によると、持ち上げ部が一対のキャリアテープを持ち上げる際に、規制部によりベーステープの上方移動が規制される。これにより、スプライシングテープは、一対のキャリアテープに貼り付けられた状態を維持されるとともに、上方移動を規制されたベーステープから徐々に剥離される。結果として、スプライシング装置は、スプライシング処理においてスプライシングテープをベーステープから良好に剥離することができる。
【図面の簡単な説明】
【０００８】
【図１】実施形態におけるスプライシング装置の概要を模式的に示す正面図である。
【図２】持ち上げ部の動作を模式的に示す側方図である。
【図３】キャリアテープを示す平面図である。
【図４】供給テープを示す平面図である。
【図５】ガイド部材、規制部およびテープ貼付装置を示す斜視図である。
【図６】ガイド部材、規制部および供給テープを示す上面図である。
【図７】図６におけるＶＩＩ−ＶＩＩ断面図である。
【図８】スプライシング処理の貼付処理における各部材の状態を示す断面図である。
【図９】スプライシング処理の取り出し処理における各部材の状態を示す断面図である。
【図１０】図９におけるＸ−Ｘ断面図である。
【発明を実施するための形態】
【０００９】
以下、スプライシング装置を具体化した実施形態について図面を参照して説明する。スプライシング装置は、一対のキャリアテープの端部を突き合わせた状態でスプライシングテープを両側に貼り付けるけることにより、一対のキャリアテープをスプライシングする。一対のキャリアテープは、例えば一方が使用途中の旧テープであり、他方が補給用の新テープである。
【００１０】
１．スプライシング装置１０の構成
スプライシング装置１０は、図１に示すように、装置本体１１と、上部カバー１２と、キャリアテープ搬送装置１３と、切断装置１４と、供給テープ搬送装置１５と、テープ貼付装置１６と、制御装置１７とを備える。装置本体１１は、全体形状としては直方体形状に形成される。装置本体１１は、長手方向（図１の左右方向）の両側に、キャリアテープ９０（図３を参照）を挿入される挿入口１１１がそれぞれ形成される。
【００１１】
２つの挿入口１１１は、装置本体１１の内部に形成されたテープ搬送路１１２により互いに連通する。テープ搬送路１１２は、スプライシング装置１０の左右方向に延伸する溝である。テープ搬送路１１２は、それぞれの挿入口１１１から挿入されたスプライシングの対象である一対のキャリアテープ９０を支持する。
【００１２】
上部カバー１２は、装置本体１１に対して開閉されるカバー部材である。上部カバー１２は、閉状態においてテープ搬送路１１２の上面を構成する。上部カバー１２は、開状態においてスプライシングされた一対のキャリアテープ９０を取り出し可能に開放する。本実施形態において、上部カバー１２には、一対の持ち上げ部１２１が設けられる。一対の持ち上げ部１２１のそれぞれは、図２の実線にて示すように、上部カバー１２の閉状態においてテープ搬送路１１２の下方に位置する。さらに、一対の持ち上げ部１２１は、図２の一点鎖線にて示すように、上部カバー１２が閉状態から開状態とされると上部カバー１２とともに上昇する。
【００１３】
キャリアテープ搬送装置１３は、２つの挿入口１１１から挿入された一対のキャリアテープ９０をテープ搬送路１１２に沿ってそれぞれ搬送する。ここで、キャリアテープ９０は、図３に示すように、多数の部品９３を収納するテープ部材である。キャリアテープ９０は、ベーステープ９１と、カバーテープ９２とを有する。ベーステープ９１には、幅方向（図３の上下方向）の中央部にキャビティ９１１が形成される。
【００１４】
キャビティ９１１は、底部を有する凹状に形成される。キャビティ９１１は、ベーステープ９１の長手方向（図３の左右方向）に一定の間隔で形成される。それぞれのキャビティ９１１は、一つの部品９３を収納する。また、ベーステープ９１には、幅方向の一方側の縁部に送り穴９１２が形成される。送り穴９１２は、ベーステープ９１の長手方向に一定の間隔で形成される。送り穴９１２は、キャリアテープ搬送装置１３のスプロケット１３１の歯と係合し、キャリアテープ９０の搬送に用いられる。
【００１５】
カバーテープ９２は、薄い膜状の高分子フィルムにより形成される。カバーテープ９２の幅方向の両端部は、ベーステープ９１の上面に接着される。これにより、カバーテープ９２は、キャビティ９１１の開口部を閉塞する。これにより、ベーステープ９１のキャビティ９１１に収納された部品９３の脱落が防止される。
【００１６】
キャリアテープ搬送装置１３は、スプロケット１３１を回転させて、一対のキャリアテープ９０をテープ搬送路１１２に沿って搬送する。これにより、キャリアテープ搬送装置１３は、キャリアテープ９０の切断箇所を切断位置Ｐｃに位置決めする。また、キャリアテープ搬送装置１３は、切断された一対のキャリアテープ９０を互いに接近させる方向に搬送し、一対のキャリアテープ９０のそれぞれの端部をスプライシング位置Ｐｓに位置決めする。上記の「スプライシング位置Ｐｓ」は、スプライシング装置１０の左右方向の中央部に設けられた位置であり、一対のキャリアテープ９０をスプライシングにより連結する位置である。
【００１７】
切断装置１４は、それぞれの挿入口１１１から挿入された一対のキャリアテープ９０を所定の切断箇所で切断する。本実施形態において、切断装置１４は、テープ搬送路１１２上の２箇所の切断位置Ｐｃに対応してそれぞれ配置されたカッター１４１により、一対のキャリアテープ９０を一連の動作で切断する。切断装置１４は、切断処理により発生するキャリアテープ９０の不要部分をダクト（図示しない）から廃棄する。
【００１８】
供給テープ搬送装置１５は、供給テープ８０（図４を参照）を搬送するとともに、スプライシング処理において供給テープ８０からスプライシングテープ８３を貼り付け可能に露出させる。ここで、供給テープ８０は、ベーステープ８１とカバーテープ８２（図４において破線で示す）との間に複数のスプライシングテープ８３を挟んだ三層構造のテープ部材である。ベーステープ８１は、所定の間隔で配列される一対のスプライシングテープ８３を保持する粘着領域Ａｔと、ベーステープ８１の幅方向において粘着領域Ａｔより両端側であって粘着性を有しない非粘着領域Ａｎと、を有する。
【００１９】
ベーステープ８１の粘着領域Ａｔには、表面用スプライシングテープ８３１および裏面用スプライシングテープ８３２の２つ（以下、単に「一対のスプライシングテープ８３」と称する）を所定間隔で貼り付けられる。ベーステープ８１の幅方向の両端部に位置する非粘着領域Ａｎには、ベーステープ８１の長手方向に沿って一定の間隔で複数の送り穴８１１を形成される。送り穴８１１は、供給テープ搬送装置１５のベーステープ搬送装置１５１のスプロケット（図示しない）の歯と係合し、供給テープ８０の搬送に用いられる。ベーステープ搬送装置１５１は、ベーステープ８１を一対のキャリアテープ９０の搬送方向（図１の左右方向）と交差する方向に搬送する。
【００２０】
ベーステープ８１は、ベーステープ８１の幅方向に沿って位置決め穴８１２が形成される。位置決め穴８１２は、スプライシングの対象である一対のキャリアテープ９０に対する供給テープ８０の位置決めに用いられる。カバーテープ８２は、ベーステープ８１の粘着領域Ａｔに貼り付けられた複数組のスプライシングテープ８３を覆うように貼り付けられるフィルム部材である。カバーテープ８２は、例えばカバーテープ８２を挟む一対のローラを回転させるカバーテープ搬送装置１５２により搬送される。
【００２１】
ここで、図５および図６に示すように、供給テープ搬送装置１５には、装置本体１１に対する所定位置にガイド部材１５３が設けられる。ガイド部材１５３は、ベーステープ８１の搬送方向（図６の左右方向）においてカバーテープ８２を剥離する剥離位置Ｐｅを規定する。剥離位置Ｐｅにおいてカバーテープ８２がベーステープ８１から剥離されると、一対のスプライシングテープ８３は、一対のキャリアテープ９０に対する接着面を上方に向けて露出し、且つスプライシング位置Ｐｓに位置決めされた一対のキャリアテープ９０の両端部にそれぞれ跨った状態となる。
【００２２】
テープ貼付装置１６は、一対のキャリアテープ９０の表面および裏面に一対のスプライシングテープ８３を貼り付ける。具体的には、テープ貼付装置１６は、一対のスプライシングテープを露出させた供給テープ８０の一部を折り返す（図８を参照）。そして、テープ貼付装置１６は、スプライシング位置Ｐｓに位置決めされた一対のキャリアテープ９０の表面および裏面に一対のスプライシングテープ８３を押し付ける。これにより、一対のスプライシングテープ８３は、所定の押付力が加えられて一対のキャリアテープ９０に接着した状態となる。
【００２３】
その後に、一対のスプライシングテープ８３は、スプライシング後の取り出し処理において、ベーステープ８１からそれぞれ剥離されて、スプライシングされた一対のキャリアテープ９０とともにスプライシング装置１０から取り出される。一対のスプライシングテープ８３の貼付処理、および取り出し処理の詳細については後述する。
【００２４】
制御装置１７は、主として、ＣＰＵや各種メモリ、制御回路により構成される。制御装置１７は、予め設定されたプログラムやパラメータに基づいて、スプライシング処理を実行する。制御装置１７は、スプライシング処理において、各種センサから出力される情報に基づいて、キャリアテープ９０の搬送量や切断箇所などを適宜設定し、キャリアテープ搬送装置１３や切断装置１４の動作を制御する。
【００２５】
２．テープ貼付装置１６の詳細構成
テープ貼付装置１６は、スプライシング位置Ｐｓに位置決めされた一対のキャリアテープ９０の両面にそれぞれ跨った一対のスプライシングテープ８３を間に挟んで押し付ける裏面押付部材２０および表面押付部材３０を備える。裏面押付部材２０は、一対のキャリアテープ９０の裏面に貼り付けられる裏面用スプライシングテープ８３２を押し付ける。表面押付部材３０は、一対のキャリアテープ９０の表面に貼り付けられる表面用スプライシングテープ８３１を押し付ける。
【００２６】
裏面押付部材２０は、図５に示すように、後述する第一昇降台４２に固定される。裏面押付部材２０は、スプライシング処理において裏面用スプライシングテープ８３２に接触し押付力を付与する。表面押付部材３０は、後述する旋回装置５０の旋回台５４に固定される。表面押付部材３０は、スプライシング処理において表面用スプライシングテープ８３１に接触し押付力を付与する。
【００２７】
裏面押付部材２０および表面押付部材３０は、例えばウレタンなどの樹脂により形成され、一対のスプライシングテープ８３に付与する押付力に応じて弾性変形する。裏面押付部材２０および表面押付部材３０には、複数のピン穴２１，３１がそれぞれ形成される。裏面押付部材２０の複数のピン穴２１には、旋回台５４に設けられた第二位置決めピン５５が挿入される。表面押付部材３０の複数のピン穴３１には、第一昇降台４２に設けられた第一位置決めピン４３が挿入される。
【００２８】
テープ貼付装置１６は、図５に示すように、駆動装置４０を備える。駆動装置４０は、スプライシング処理において、裏面押付部材２０および表面押付部材３０を移動させる。駆動装置４０は、駆動源であるモータ（図示しない）により回転するカムドラム４１を備える。カムドラム４１は、キャリアテープ９０の搬送方向に平行な軸線周りに回転可能に、装置本体１１に支持される。カムドラム４１は、制御装置１７によりモータの駆動状態が制御されることによって回転速度や角度を制御される。
【００２９】
カムドラム４１の側面には、複数のカム面４１１が設けられている。複数のカム面４１１は、互いに異なる形状に形成され、第一昇降台４２や第二昇降台４４を昇降させるとともに、旋回装置５０を駆動させる。第一昇降台４２や第二昇降台４４、旋回装置５０は、カムドラム４１の原点角度において初期状態にそれぞれ復帰する。第一昇降台４２は、スプライシング位置Ｐｓの下部に配置される。
【００３０】
第一昇降台４２の上面には、裏面押付部材２０を固定される。また、第一昇降台４２の上面には、複数の第一位置決めピン４３が設けられる。複数の第一位置決めピン４３は、スプライシング処理において、裏面用スプライシングテープ８３２を貫通するベーステープ８１の位置決め穴８１２（図３を参照）およびキャリアテープ９０の送り穴９１２に係合する。
【００３１】
旋回装置５０は、裏面押付部材２０に対して表面押付部材３０を旋回させる。裏面押付部材２０および表面押付部材３０は、旋回装置５０の駆動によって押付面が対向した状態と対向しない状態とを切り換えられる。旋回装置５０は、ラック台５１と、ラック５２と、ピニオンギヤ５３と、旋回台５４と、第二位置決めピン５５とを有する。
【００３２】
ラック台５１は、第二昇降台４４に対する上下方向移動を規制され、且つ水平方向移動を許容されるように取り付けられる。ラック台５１は、カムドラム４１の回転により複数のカム面４１１の一つに係合するアーム（図示しない）が回転すると、水平方向に移動する。また、ラック台５１は、第二昇降台４４の昇降に伴って上下方向に移動する。
【００３３】
ラック５２は、ラック台５１の上部に、水平方向に延伸するように固定される。ピニオンギヤ５３は、第二昇降台４４に回転可能に設けられる。ピニオンギヤ５３は、ラック５２と噛合し、ラック台５１と一体的に移動するラック５２の直動に伴って回転する。旋回台５４は、ピニオンギヤ５３を旋回中心として旋回可能に両端部を支持される。
【００３４】
旋回台５４には、表面押付部材３０が固定される。また、旋回台５４には、複数の第二位置決めピン５５が設けられる。複数の第二位置決めピン５５は、キャリアテープ９０の搬送方向において、第一昇降台４２の複数の第一位置決めピン４３とは異なる位置にそれぞれ配置される。複数の第二位置決めピン５５は、スプライシング処理において、表面用スプライシングテープ８３１に並んで形成されたベーステープ８１の位置決め穴８１２（図４を参照）およびキャリアテープ９０の送り穴９１２に係合する。
【００３５】
上記のような構成によると、カムドラム４１の回転に伴いラック台５１がラック５２と一体的に水平方向に移動する。そうすると、ラック５２に噛合するピニオンギヤ５３が回転し、ピニオンギヤ５３の回転に伴って旋回台５４が回転する。これにより、裏面押付部材２０に対して表面押付部材３０が回転する。結果として、表面押付部材３０は、裏面押付部材２０に対向した状態に切り換えられる。
【００３６】
第二昇降台４４は、裏面押付部材２０に対向した状態の表面押付部材３０を、旋回装置５０の一部（ラック台５１、ラック５２、ピニオンギヤ５３、旋回台５４、および第二位置決めピン５５）とともに一体的に相対移動可能に構成される。第二昇降台４４は、スプライシング処理においてスプライシング位置Ｐｓの上部に配置される。第二昇降台４４は、複数のカム面４１１の一つに係合する脚部（図示しない）とともに一体的に上下方向に移動する。
【００３７】
３．スプライシング装置１０によるスプライシング処理
スプライシング装置１０によるスプライシング処理について図２、図６−図９を参照して説明する。なお、図７−図９において、供給テープ８０およびキャリアテープ９０の厚みなどを誇張して示している（図１０において同じ）。スプライシング処理は、主として、一対のキャリアテープ９０を切断する切断処理と、切断後のキャリアテープ９０にスプライシングテープ８３を貼り付ける貼付処理と、スプライシング後の取り出し処理とにより構成される。以下では、スプライシング処理における貼付処理および取り出し処理について説明する。
【００３８】
ここで、一対のキャリアテープ９０の端部がスプライシング位置Ｐｓに位置決めされているものとする。この状態で、供給テープ搬送装置１５の駆動により供給テープ８０が搬送方向に移動されると、図６および図７に示すように、カバーテープ８２が剥離位置Ｐｅにおいてベーステープ８１から剥離されるとともにガイド部材１５３により折り返される。これにより、直後に実行される貼付工程において使用される一対のスプライシングテープ８３のみが露出した状態となる。さらに、一対のスプライシングテープ８３が搬送方向の所定位置に位置決めされる。
【００３９】
具体的には、一対のキャリアテープ９０の送り穴９１２、および裏面用スプライシングテープ８３２を貫通するベーステープ８１の位置決め穴８１２は、第一位置決めピン４３に係合可能な位置に位置決めされる。また、表面用スプライシングテープ８３１に並んで形成されたベーステープ８１の位置決め穴８１２は、旋回装置５０の第二位置決めピン５５に係合可能な位置に位置決めされる。
【００４０】
制御装置１７は、カムドラム４１を低速回転させる。これにより、先ず、第一昇降台４２および第二昇降台４４が上昇し、第一位置決めピン４３および第二位置決めピン５５がベーステープ８１の位置決め穴８１２に係合する。次に、ラック台５１が水平移動することにより旋回台５４が回転し、裏面押付部材２０に対して表面押付部材３０が対向する状態となる。同時に、表面用スプライシングテープ８３１が一対のキャリアテープ９０に跨った状態となる。
【００４１】
制御装置１７は、カムドラム４１をさらに回転させる。これにより、第一昇降台４２がさらに上昇するとともに、第二昇降台４４および旋回台５４が下降する。結果として、図８に示すように、一対のキャリアテープ９０と一対のスプライシングテープ８３は、裏面押付部材２０と表面押付部材３０との間に挟まれる。このとき、一対のスプライシングテープ８３には、所定の押付力が付与され、一対のキャリアテープ９０の裏面および表面に貼り付けられる。
【００４２】
制御装置１７は、カムドラム４１をさらに回転させる。これにより、テープ貼付装置１６の各部材が概ね逆順で動作する。結果として、図９に示すように、裏面押付部材２０が初期位置に復帰するように移動し、第一位置決めピン４３がベーステープ８１の位置決め穴８１２から離脱する。また、表面押付部材３０が初期位置に復帰するように移動し、表面用スプライシングテープ８３１がベーステープ８１から剥離される。さらに、第二位置決めピン５５がベーステープ８１の位置決め穴８１２から離脱する。
【００４３】
制御装置１７は、上記のように一対のスプライシングテープ８３の貼付処理が終了すると、スプライシング後の取り出し処理を実行する。この取り出し処理は、上部カバー１２を閉状態から開状態へと切り換えて、装置本体１１からスプライシングされた一対のキャリアテープ９０を取り出し可能にする処理である。また、スプライシング装置１０は、取り出し処理において、一対のキャリアテープ９０をテープ搬送路１１２から上方に持ち上げる。
【００４４】
取り出し処理における上記の持ち上げは、貼付処理の直後ではベーステープ８１に張り付いた状態の裏面用スプライシングテープ８３２をベーステープ８１から剥離する剥離処理に相当する。より具体的には、制御装置１７は、取り出し処理において、上部カバー１２を閉状態から開状態へと切り換えるように、上部カバー１２のロックを解除する。これにより、上部カバー１２は、装置本体１１との間に配置された弾性部材（図示しない）の弾性力により開状態となる。
【００４５】
上部カバー１２に設けられた持ち上げ部１２１は、図２の一点鎖線にて示すように、上部カバー１２が開状態とされると上部カバー１２とともに上昇することにより、一対のキャリアテープ９０をテープ搬送路１１２から上方に持ち上げる。このとき、ベーステープ８１にはある程度の張力が付与されており、ベーステープ８１から裏面用スプライシングテープ８３２が剥離される。剥離処理が終了すると、スプライシングされた一対のキャリアテープ９０は、装置本体１１と上部カバー１２との間から取り出し可能な状態とされる。
【００４６】
４．規制部１５４の構成および剥離処理における作用
剥離処理では、一対のキャリアテープ９０が持ち上げられた際に、一対のキャリアテープ９０から裏面用スプライシングテープ８３２が剥離することなく、ベーステープ８１から裏面用スプライシングテープ８３２が剥離する必要がある。そのため、裏面用スプライシングテープ８３２は、キャリアテープ９０との間の粘着力がベーステープ８１との間の粘着力よりも大きくなるように管理されている。
【００４７】
さらに、一対のスプライシングテープ８３は、ベーステープ８１との間の粘着力がカバーテープ８２との間の粘着力よりも大きくなるように管理されている。これは、カバーテープ８２をベーステープ８１から剥離した際に、一対のスプライシングテープ８３がカバーテープ８２とともにベーステープ８１から剥離することを防止するためのものである。そのため、ベーステープ８１と裏面用スプライシングテープ８３２との間の粘着力は、カバーテープ８２と一対のスプライシングテープ８３との間の粘着力を上回る程度には確保される必要がある。
【００４８】
しかしながら、供給テープ８０の保管状態やスプライシング装置１０の稼働環境、キャリアテープ９０の裏面の汚れの状態などによっては、ベーステープ８１と裏面用スプライシングテープ８３２との間の粘着力が剥離処理の結果に影響するおそれがある。そこで、本実施形態のスプライシング装置１０は、裏面用スプライシングテープ８３２をベーステープ８１から良好に剥離すべく規制部１５４を備える構成を採用する。
【００４９】
本実施形態において、規制部１５４は、図５および図６に示すように、供給テープ搬送装置１５のガイド部材１５３に一体に設けられる。規制部１５４は、ベーステープ８１の幅方向（図６の上下方向）におけるガイド部材１５３の両端部からベーステープ８１の搬送方向（図６の左右方向）にそれぞれ延伸する。本実施形態において、ガイド部材１５３および規制部１５４は、板状に形成された一体部材である。
【００５０】
規制部１５４は、剥離処理においてベーステープ８１の搬送方向において裏面用スプライシングテープ８３２が配置された範囲Ｌｐでベーステープ８１の上面に接触する。より具体的には、規制部１５４は、ガイド部材１５３が規定するカバーテープ８２の剥離位置Ｐｅからベーステープ８１の搬送方向に延伸する接触範囲Ｌｒにおいてベーステープ８１と接触し得る。また、規制部１５４は、ベーステープ８１の上面のうち送り穴８１１が形成された非粘着領域Ａｎのみに接触する。
【００５１】
また、規制部１５４は、スプライシング処理において段階的に上昇をする裏面押付部材２０の可動範囲、およびスプライシング処理において上昇、旋回、および下降をする表面押付部材３０の可動範囲の外部に配置される。さらに、規制部１５４は、表面押付部材３０を旋回させる旋回装置５０の可動範囲の外部に配置される。このような構成により、規制部１５４は、スプライシング処理の実行中において裏面押付部材２０、表面押付部材３０、および旋回装置５０に干渉しない位置（可動範囲の外部）に固定される。
【００５２】
上記のような構成からなる規制部１５４は、図１０に示すように、取り出し処理において持ち上げ部１２１が一対のスプライシングテープ８３を持ち上げる際に、ベーステープ８１の幅方向において裏面用スプライシングテープ８３２より両端側に位置する部位に接触する。これにより、規制部１５４は、裏面用スプライシングテープ８３２の持ち上げに伴うベーステープ８１の上方移動を規制する。
【００５３】
ここで、規制部１５４を有しない構成では、裏面用スプライシングテープ８３２を貼り付けられた一対のスプライシングテープ８３が持ち上げられると、ベーステープ８１に付与された張力によってベーステープ８１の上方移動が規制される。そうすると、裏面用スプライシングテープ８３２は、ベーステープ８１の幅方向に平行な長辺から短辺の中央に向かってベーステープ８１から剥離される。
【００５４】
これに対して、本実施形態のように規制部１５４を有する構成では、裏面用スプライシングテープ８３２を貼り付けられた一対のスプライシングテープ８３が持ち上げられると、ベーステープ８１の幅方向の両端部に接触する規制部１５４によりベーステープ８１の上方移動が規制される。そうすると、裏面用スプライシングテープ８３２は、ベーステープ８１の搬送方向に平行な短辺から長辺の中央に向かってベーステープ８１から徐々に剥離される。
【００５５】
上記のように、ベーステープ８１に対する裏面用スプライシングテープ８３２の剥離の進行方向が異なると、裏面用スプライシングテープ８３２の剥離が開始してから終了するまでの時間が異なる。そのため、規制部１５４によりベーステープ８１の上方移動が規制された態様では、裏面用スプライシングテープ８３２が単位時間あたりに剥離される量を少なくすることができる。よって、剥離処理において一対のキャリアテープ９０から裏面用スプライシングテープ８３２を剥がすように作用する力を軽減できる。
【００５６】
このような構成によると、一対のキャリアテープ９０と裏面用スプライシングテープ８３２との間の粘着力がある程度低減しても良好な接着状態を維持することができる。このように、本実施形態のスプライシング装置１０は、剥離処理において一対のキャリアテープ９０の持ち上げに伴うベーステープ８１の上方移動を規制する規制部１５４を備えることにより、剥離処理において裏面用スプライシングテープ８３２をベーステープ８１から良好に剥離することができる。
【００５７】
また、規制部１５４は、ベーステープ８１において裏面用スプライシングテープ８３２が配置された範囲Ｌｐを含む接触範囲Ｌｒでベーステープ８１と接触する。このような構成によると、規制部１５４がベーステープ８１の搬送方向に十分な長さを確保され、確実にベーステープ８１の上方移動を規制できる。
【００５８】
また、規制部１５４は、ベーステープ８１の上面のうち送り穴８１１が形成された非粘着領域Ａｎのみに接触する。これにより、規制部１５４は、ベーステープ８１の粘着領域Ａｔに接触せずにベーステープ８１の上方移動を規制する。よって、ベーステープ８１から裏面用スプライシングテープ８３２を剥離した後にベーステープ８１を搬送する際に、ベーステープ８１に規制部１５４が粘着しない状態にできる。
【００５９】
５．実施形態の変形態様
実施形態において、規制部１５４は、ベーステープ８１において裏面用スプライシングテープ８３２が配置された範囲Ｌｐを含む接触範囲Ｌｒでベーステープ８１と接触する。これに対して、規制部１５４は、ベーステープ８１の上面のうちベーステープ８１の幅方向において裏面用スプライシングテープ８３２より両端側に位置する部位に接触可能であれば、種々の接触範囲Ｌｒを設定され得る。
【００６０】
また、規制部１５４は、ベーステープ８１の搬送に影響がないまたは小さいのであれば、ベーステープ８１の粘着領域Ａｔの一部に接触してもよい。但し、より確実にベーステープ８１の搬送への影響を低減するという観点からは、実施形態にて例示した態様が好適である。
【００６１】
さらに、規制部１５４は、裏面押付部材２０や表面押付部材３０などと干渉しない位置であれば、配置される位置を適宜設定される。実施形態において、規制部１５４は、ガイド部材１５３と一体に設けられる構成とした。これに対して、規制部１５４は、ガイド部材１５３とは別部材により構成されてもよい。但し、部品点数を低減するという観点からは、実施形態にて例示した態様が好適である。
【符号の説明】
【００６２】
１０：スプライシング装置、  １１：装置本体、  １１２：テープ搬送路、  １２：上部カバー、  １２１：持ち上げ部、  １３：キャリアテープ搬送装置、  １４：切断装置、  １５：供給テープ搬送装置、  １５１：ベーステープ搬送装置、  １５２：カバーテープ搬送装置、  １５３：ガイド部材、  １５４：規制部、  １６：テープ貼付装置、  １７：制御装置、  ２０：裏面押付部材、  ３０：表面押付部材、  ４０：駆動装置、  ５０：旋回装置、８０：供給テープ、  ８１：ベーステープ、  ８２：カバーテープ、  ８３：スプライシングテープ、  ８３１：表面用スプライシングテープ、  ８３２：裏面用スプライシングテープ、  ９０：キャリアテープ、  Ａｔ：粘着領域、  Ａｎ：非粘着領域、  Ｌｒ：接触範囲、  Ｐｃ：切断位置、  Ｐｓ：スプライシング位置
【図１】
2019146033.tif 000003
【図２】
2019146033.tif 000004
【図３】
2019146033.tif 000005
【図４】
2019146033.tif 000006
【図５】
2019146033.tif 000007
【図６】
2019146033.tif 000008
【図７】
2019146033.tif 000009
【図８】
2019146033.tif 000010
【図９】
2019146033.tif 000011
【図１０】
2019146033.tif 000012
【国際調査報告】
2019146033.tif 000013
2019146033.tif 000014
2019146033.tif 000015
2019146033.tif 000016